(57)【要約】【課題】携帯型テレビ放送受信装置の状況に応じて録画予約を表示する予約項目表示方法および携帯型テレビ放送受信装置を提供する。【解決手段】外部より電力が供給されている場合（Ｓ１１；Ｙｅｓ）、録画予約の状況を確認し（Ｓ１２）、録画予約がある場合（Ｓ１２；Ｙｅｓ）、録画予約を記録開始時刻に基づいて並び替える（Ｓ１３）。並び替えた録画予約のうち、次に実行されるものから順に少なくとも１項目以上を表示部１１に表示する（Ｓ１４）。録画予約キャンセル操作が実行された場合（Ｓ１５；Ｙｅｓ）や、録画予約を設定した時刻になり（Ｓ１６；Ｙｅｓ）、録画が実行され（Ｓ１７）て録画終了した（Ｓ１８）場合には、再びＳ１２へ戻り表示を更新する。録画予約がすべて実行されて録画予約がなくなった場合（Ｓ１２；Ｎｏ）は、「録画予約がありません」と一定時間表示し（Ｓ１９）、録画予約の表示を終了する（Ｓ２０）。【選択図】図５
2008011317.tif 000002
【特許請求の範囲】
【請求項１】
録画予約および録音予約を予約項目として登録する登録ステップと、
外部から電力供給がされているか判断する電力供給判断ステップと、
前記電力供給判断ステップにおいて外部から電力供給がされていると判断した場合に、前記予約項目を表示部に表示する表示ステップとを有することを特徴とする予約項目表示方法。
【請求項２】
前記表示ステップは、前記予約項目を記録開始時刻に基づいて並び替えて、前記予約項目のうち少なくとも１項目以上を前記記録開始時刻の早いものから表示部に表示することを特徴とする請求項１に記載の予約項目表示方法。
【請求項３】
前記表示ステップは、予約項目を表示した後に一定時間無操作状態が続いた場合、表示部の輝度を下げることを特徴とする請求項１に記載の予約項目表示方法。
【請求項４】
前記表示ステップは、予約項目を表示する際に、時刻に基づいて表示部の輝度、色相、表示形式のうち少なくとも１つを変更することを特徴とする請求項１に記載の予約項目表示方法。
【請求項５】
外部電源からの電力供給を監視可能な電源管理部と、
録画予約および録音予約を予約項目として記憶可能な記憶部と、
前記電源管理部が外部電源からの電力供給を認知した際に、前記予約項目を表示部に表示する制御部とを有することを特徴とする携帯型テレビ放送受信装置。
【請求項６】
前記制御部は、前記予約項目を記録開始時刻に基づいて並び替えて、前記予約項目のうち少なくとも１項目以上を前記記録開始時刻の早いものから表示部に表示することを特徴とする請求項５に記載の携帯型テレビ放送受信装置。
【請求項７】
前記制御部は、予約項目を表示した後に一定時間無操作状態が続いた場合、表示部の輝度を下げることを特徴とする請求項５に記載の携帯型テレビ放送受信装置。
【請求項８】
前記制御部は、予約項目を表示する際に、時刻に基づいて表示部の輝度、色相、表示形式のうち少なくとも１つを変更することを特徴とする請求項５に記載の携帯型テレビ放送受信装置。
【発明の詳細な説明】
【技術分野】
【０００１】
本発明は、録画可能な携帯型テレビ放送受信装置の予約項目表示方法に関し、特に携帯型テレビ放送受信装置の状況に応じて録画予約を表示をする予約項目表示方法および携帯型テレビ放送受信装置に関する。
【背景技術】
【０００２】
従来の技術として、録画予約待機中に現在予約されている予約内容を表示部に表示するテレビ放送受信装置が知られている（例えば、特許文献１）。
【０００３】
このテレビ放送受信装置によると、テレビ放送受信装置に設定された複数の録画予約を録画予約開始時間でソートし、現在時刻の次に実行される録画予約に関して予約内容を表示部に表示する。また、予約待機中は表示部の輝度を通常より下げて予約内容の表示を行うことにより、ユーザは録画予約待機中であることを容易に判断できる。
【特許文献１】特開平８−６３８２７号公報
【発明の開示】
【発明が解決しようとする課題】
【０００４】
しかし、従来のテレビ放送受信装置によると、予約待機中は常に録画予約を表示しており、テレビ放送受信装置に電源が供給されておらず内蔵したバッテリ等により駆動している場合においては、録画予約の表示により電力を浪費し、テレビ放送受信装置の駆動時間が短くなるという問題がある。また、予約待機中は表示部の輝度を通常より下げて予約内容の表示を行うが、輝度の調整は予約待機中であるかどうかに関して実行され、テレビ放送受信装置の置かれた環境によっては表示が暗い、もしくは表示が明るくまぶしいため読みづらい場合がある。
【０００５】
従って、本発明の目的は、携帯型テレビ放送受信装置の状況に応じて録画予約を表示する予約項目表示方法および携帯型テレビ放送受信装置を提供することにある。
【課題を解決するための手段】
【０００６】
（１）本発明は上記目的を達成するため、録画予約および録音予約を予約項目として登録する登録ステップと、外部から電力供給がされているか判断する電力供給判断ステップと、前記電力供給判断ステップにおいて外部から電力供給がされていると判断した場合に、前記予約項目を表示部に表示する表示ステップとを有することを特徴とする予約項目表示方法を提供する。
【０００７】
このような方法によれば、外部から電力が供給されている場合にのみ予約項目を表示するため、内部バッテリー使用時の電力浪費を抑えることができる。
【０００８】
（２）また、本発明は上記目的を達成するため、外部電源からの電力供給を監視可能な電源管理部と、録画予約および録音予約を予約項目として記憶可能な記憶部と、前記電源管理部が外部電源からの電力供給を認知した際に、前記予約項目を表示部に表示する制御部とを有することを特徴とする携帯型テレビ放送受信装置を提供する。
【０００９】
このような構成によれば、（１）の効果を有する携帯型テレビ放送受信装置が可能となる。
【発明の効果】
【００１０】
本発明によれば、携帯型テレビ放送受信装置の置かれた環境に応じて録画予約表示が可能となる。
【発明を実施するための最良の形態】
【００１１】
以下に、本発明の予約項目表示方法の実施の形態を図面を参考にして詳細に説明する。
【００１２】
〔第１の実施の形態〕
（携帯型テレビ放送受信装置の構成）
図１（ａ）は、本発明の第１の実施の形態に関する携帯型テレビ放送受信装置の平面図である。図１（ｂ）は、本発明の第１の実施の形態に関する携帯型テレビ放送受信装置の左側面を示す側面図である。図１（ｃ）は、本発明の第１の実施の形態に関する携帯型テレビ放送受信装置の正面図である。
【００１３】
携帯型テレビ放送受信装置１は、内部にＣＰＵや、小型のＨＤＤ（Ｈａｒｄ Ｄｉｓｃ Ｄｒｉｖｅ）等の電子部品を有し、正面には文字、画像等を表示する表示部１１と、音声を出力するスピーカ１０と、表示項目を操作するためのスタートスイッチ１２０とバックスイッチ１２１と操作キースイッチ１２２とクイックスイッチ１２３とボリュームスイッチ１２４とからなる操作部２０１とを有する。左側面には、イヤホンジャック１３０と外部より電源を供給できる電源ジャック１３１とＵＳＢ端子１３２と拡張コネクタ１３３とアンテナ１２６とを有する。上側面には、再生状態を制御する再生操作スイッチ群１２５を有する。
【００１４】
操作キースイッチ１２２は、外側に上下左右を指定するスイッチを有しており、中心に決定スイッチ１２２Ａを有する。
【００１５】
図２は、本発明の第１の実施の形態に関する携帯型テレビ放送受信装置の概略構成図である。
【００１６】
制御部２００は、携帯型テレビ放送受信装置１の各部を統括して制御し、オーディオやビデオ等のコンテンツのファイルシステム管理、エンコードおよびデコード時の制御、再生モード設定、ユーザーインターフェース制御等の処理動作を行う。
【００１７】
操作部２０１は、携帯型テレビ放送受信装置１に設けられる各スイッチの操作に応じた操作信号を制御部２００に出力する。
【００１８】
チューナ２０２はテレビ放送の映像信号を受信し、復調する。
【００１９】
メモリ２０３は、処理データを一時的に記憶し、各部での処理を補助する。
【００２０】
記憶部２０４は、携帯型テレビ放送受信装置１を動作させるためのファームウエア、再生および制御に必要なアプリケーションプログラム、プログラムの設定データ、ビデオ等のコンテンツの管理に必要な管理データ、そしてビデオ等のコンテンツデータを記憶する。
【００２１】
ＴＶエンコーダ２０５は、チューナ２０２より受信した映像信号を符号化し記憶部２０４に記録する。
【００２２】
駆動回路２０６は、バックライト２０６ａとＬＣＤコントローラ２０６ｂを有し、ユーザー操作に基づく表示画面に応じたデータを制御部２００からバス２０９を介して入力することにより表示部１１を駆動制御する。
【００２３】
音声出力部２０７は、オーディオ信号を内蔵されたアンプで増幅してイヤホンジャック１３０に出力する。
【００２４】
インターフェース（Ｉ／Ｆ）部２０８は、電源ジャック１３１とＵＳＢ端子１３２と拡張コネクタ１３３を有し、電源ジャック１３１に電源が接続されたとき、もしくはＵＳＢ端子１３２に外部機器が接続されたとき、外部より供給される電力を用いて携帯型テレビ放送受信装置１を駆動する。
【００２５】
電源部２１０は、内部にバッテリーを有し、電源ジャック１３１またはＵＳＢ端子１３２より電力が供給されている場合はバッテリーを充電し、電力が供給されていない場合はバッテリーより各部へ電力を供給して携帯型テレビ放送受信装置を駆動する。
【００２６】
（ソフトウェアの構成）
図３は、本発明の第１の実施の形態におけるソフトウェア構成を示す概略図である。
【００２７】
ソフトウェアは、アプリケーション群３０００Ａと、オペレーティングシステム３０１と、ドライバ群３０００Ｂとからなり、各ドライバに対応したデバイス群２０００が接続されている。
【００２８】
アプリケーション群３０００Ａは、テレビ放送を視聴可能なＴＶビュワ３００Ａと、文字情報を閲覧可能なテキストビュワ３００Ｂと、各種ゲームソフトを実行可能なゲーム３００Ｃと、音声ファイルおよび映像ファイルを再生および記録可能なメディアプレイヤ３００Ｄとを有する。
【００２９】
ＴＶビュワ３００Ａは、電源ジャック１３１およびＵＳＢ端子１３２の電力供給状態を監視する電源管理部３００ａと、録画予約を管理する予約管理部３００ｂと、録画予約表示を管理する予約表示管理部３００ｃとを有する。
【００３０】
オペレーティングシステム３０１は、アプリケーション群３０００Ａとドライバ群３０００Ｂを統括して管理する。
【００３１】
ドライバ群３０００Ｂは、チューナ２０２を管理するチューナドライバ３０２と、ＵＳＢ端子１３２を管理するＵＳＢドライバ３０３と、ＬＣＤコントローラ２０６ｂとバックライト２０６ａとＴＶエンコーダ２０５とを管理して制御するディスプレイドライバ３０４と、操作部２０１からの入力信号を制御するキードライバ３０５と、電源ジャック１３１から供給される電力を制御する電源ドライバ３０６とを有する。
【００３２】
（表示画面の構成）
図４は、本発明の第１の実施の形態における予約表示画面構成を示す概略図である。
【００３３】
表示部１１は、予約表示中に、現在時刻を表示する現在時刻表示１１０と、現在時刻からみて次に実行される録画予約内容を表示する録画予約１１１と、録画予約１１１の次に実行される録画予約１１２とを表示する。
【００３４】
録画予約１１１は、録画開始時刻および録画終了時刻、番組タイトル、放送曲名等を表示し、その他に録画品質（録画レート）、録画フォーマット、番組ジャンル、および出演者名等を表示してもよい。これらの表示項目はユーザーによって表示／非表示を設定できるようにしてもよい。
【００３５】
（動作）
以下に、本発明の実施の形態における携帯型テレビ放送受信装置の動作を図１から図５を参照しつつ説明する。
【００３６】
携帯型テレビ放送受信装置１は、アンテナ１２６により放送電波を受信し、チューナ２０２により復調して表示部１１と音声出力部２０７に出力することにより番組を視聴できる。
【００３７】
録画時は、同様にアンテナ１２６により放送電波を受信し、チューナ２０２により復調した信号をＴＶエンコーダ２０５によって符号化して記憶部２０４に記録する。
【００３８】
録画予約は、操作部２０１を所定の操作に従って操作することで予約管理部３００ｂを呼び出し、予約時間帯、チャンネル、記録フォーマット等を入力することにより完了する。予約内容は、記憶部２０４に保存され、指定した開始時刻になると実行される。
【００３９】
図５は、本発明の第１の実施の形態に関する予約表示の動作を示すフローチャートである。
【００４０】
まず、ＴＶビュワ３００Ａ内の電源管理部３００ａによって、電源ジャック１３１およびＵＳＢ端子１３２からの電力供給状況を監視する（Ｓ１１）。外部より電力が供給されている場合（Ｓ１１；Ｙｅｓ）、予約管理部３００ｂにより録画予約の状況を確認する（Ｓ１２）。外部より電力が供給されていない場合（Ｓ１１；Ｎｏ）は、録画予約表示をしない。
【００４１】
次に、録画予約がある場合（Ｓ１２；Ｙｅｓ）、予約管理部３００ｂは録画予約を記録開始時刻に基づいて並び替える（Ｓ１３）。並び替えた録画予約のうち、現在時刻からみて次に実行されるものから順に少なくとも１項目以上を表示部１１に表示する（Ｓ１４）。
【００４２】
次に、録画予約キャンセル操作が実行された場合（Ｓ１５；Ｙｅｓ）や、録画予約を設定した時刻になり（Ｓ１６；Ｙｅｓ）、録画が実行され（Ｓ１７）て録画終了した（Ｓ１８）場合には、録画予約情報が変更されるので再びＳ１２へと戻り表示を更新する。
【００４３】
次に、録画予約がすべて実行されて録画予約がなくなった場合（Ｓ１２；Ｎｏ）は、「録画予約がありません」と一定時間表示し（Ｓ１９）、録画予約の表示を終了する（Ｓ２０）。
【００４４】
（第１の実施の形態の効果）
上記した実施の形態によると、外部から電力が供給されている場合のみ予約表示を行ったため、内部のバッテリー駆動時に電力を消費することがなくなる。
【００４５】
また、待機画面として予約表示を行っているため、録画予約の確認をするための操作が必要なくなる。
【００４６】
なお、表示する録画予約は１項目以上であればよい。また、表示部１１に表示しきれない項目についてはスクロールすることにより確認可能としてもよい。
【００４７】
〔第２の実施の形態〕
図６（ａ）〜（ｄ）は、本発明の第２の実施の形態における予約表示画面構成例を示す概略図である。なお、以下の説明において、第１の実施の形態例と同一の構成および機能を有する部分については共通の符号を付している。
【００４８】
図６（ａ）〜（ｃ）に示すように、表示部１１は、時刻に従って予約表示画面の輝度、色相、および表示形式を変更する。
【００４９】
図６（ｄ）に示すように、表示部１１は、一定時間操作がなかった場合に、バックライト２０６ａの照度を下げるか、ＬＣＤコントローラ２０６ｂにより表示をハーフトーンにしたり、色相を変化させることにより、表示を変更する。
【００５０】
図７は、本発明の第２の実施の形態における予約表示の動作を示すフローチャートである。なお、図７の動作は、図５におけるＳ１４の詳細を示したもので、前後の動作は図５に従うものとする。
【００５１】
まず、制御部２００に内蔵された時計機能より時刻を呼び出す（Ｓ３１）。現在の時刻が６：００〜１８：００の場合は、図６の（ａ）に示す予約表示設定１を用い（Ｓ３２）、現在の時刻が１８：００〜０：００の場合は、図６の（ｂ）に示す予約表示設定２を用い（Ｓ３３）、現在の時刻が０：００〜６：００の場合は、図６の（ｃ）に示す予約表示設定３を用い（Ｓ３４）て表示する。
【００５２】
次に、操作部２０１における操作が一定時間ない場合（Ｓ３５；Ｙｅｓ）、図６（ｄ）に示すように表示部１１の輝度を下げる（Ｓ３６）。
【００５３】
上記した実施の形態によると、時間帯によって予約表示設定を変更することにより、その時間帯の明るさや雰囲気に応じた表示が可能となるため、ユーザの行動を妨げない。
【００５４】
また、無操作状態を感知して予約表示設定を変更するため、確認を積極的に必要としない場合に、ユーザーの行動を妨げない。
【００５５】
なお、予約表示設定は、携帯型テレビ放送受信装置１に周囲の照度を計測する計測部を設けて、照度に基づいて変更しても良い。
【００５６】
なお、録画予約に関して以上を説明してきたが、録音予約に関しても同様の構成および動作をもって表示が可能であり、同様の効果を有することはいうまでもない。
【図面の簡単な説明】
【００５７】
【図１】（ａ）は、本発明の第１の実施の形態に関する携帯型テレビ放送受信装置の平面図である。（ｂ）は、本発明の第１の実施の形態に関する携帯型テレビ放送受信装置の左側面を示す側面図である。（ｃ）は、本発明の第１の実施の形態に関する携帯型テレビ放送受信装置の正面図である。
【図２】本発明の第１の実施の形態に関する携帯型テレビ放送受信装置の概略構成図である。
【図３】本発明の第１の実施の形態におけるソフトウェア構成を示す概略図である。
【図４】本発明の第１の実施の形態における予約表示画面構成を示す概略図である。
【図５】本発明の第１の実施の形態に関する予約表示の動作を示すフローチャートである。
【図６】（ａ）〜（ｄ）は、本発明の第２の実施の形態における予約表示画面構成例を示す概略図である。
【図７】本発明の第２の実施の形態に関する予約表示の動作を示すフローチャートである。
【符号の説明】
【００５８】
１…携帯型テレビ放送受信装置、１０…スピーカ、１１…表示部、１１０…現在時刻表示、１１１…録画予約、１１２…録画予約、１２０…スタートスイッチ、１２１…バックスイッチ、１２２Ａ…決定スイッチ、１２２…操作キースイッチ、１２３…クイックスイッチ、１２４…ボリュームスイッチ、１２５…再生操作スイッチ群、１２６…アンテナ、１３０…イヤホンジャック、１３１…電源ジャック、１３２…ＵＳＢ端子、１３３…拡張コネクタ、２００…制御部、２０１…操作部、２０２…チューナ、２０３…メモリ、２０４…記憶部、２０５…ＴＶエンコーダ、２０６…駆動回路、２０６ａ…バックライト、２０６ｂ…ＬＣＤコントローラ、２０７…音声出力部、２０８…Ｉ／Ｆ部、２０９…バス、２１０…電源部、３００Ａ…ＴＶビュワ、３００Ｂ…テキストビュワ、３００Ｃ…ゲーム、３００Ｄ…メディアプレイヤ、３００ａ…電源管理部、３００ｂ…予約管理部、３００ｃ…予約表示管理部、３０１…オペレーティングシステム、３０２…チューナドライバ、３０３…ＵＳＢドライバ、３０４…ディスプレイドライバ、３０５…キードライバ、３０６…電源ドライバ、２０００…デバイス群、３０００Ａ…アプリケーション群、３０００Ｂ…ドライバ群
【図１】
2008011317.tif 000003
【図２】
2008011317.tif 000004
【図３】
2008011317.tif 000005
【図４】
2008011317.tif 000006
【図５】
2008011317.tif 000007
【図６】
2008011317.tif 000008
【図７】
2008011317.tif 000009